(57)【特許請求の範囲】
【請求項１】
協調ＭＩＭＯに基づく無線通信システムの基地局における同一チャネル干渉を制御する方法であって、
ａ．サービスを受ける移動局、および少なくとも１つの調整移動局にダウンリンク基準信号を送信するステップと、
ｂ．前記基地局から前記サービスを受ける移動局に至るダウンリンク信号に対応するプリコーディング情報を、前記サービスを受ける移動局から受信するステップと、
ｃ．前記受信されたプリコーディング情報を、前記少なくとも１つの調整移動局の少なくとも１つのサービング基地局に送信するステップと、
ｄ．前記少なくとも１つの調整移動局からの、前記少なくとも１つの調整移動局の少なくとも１つのサービング基地局によって転送された、前記基地局から前記少なくとも１つの調整移動局に至る少なくとも１つのダウンリンク信号に対応する少なくとも１つのプリコーディング情報をそれぞれ受信するステップと、
ｅ．前記基地局から前記サービスを受ける移動局に至るダウンリンク信号に対応する前記プリコーディング情報に基づいて、前記基地局から前記サービスを受ける移動局に至るダウンリンク信号をプリコードし、さらに前記基地局から前記少なくとも１つの調整移動局に至る前記少なくとも１つのダウンリンク信号に対応する前記少なくとも１つのプリコーディング情報に基づいて、前記基地局から前記少なくとも１つの調整移動局に至る前記少なくとも１つのダウンリンク信号をそれぞれプリコードするステップとを備え、
ステップｂの後、ステップｅより前に、
ｍ．前記少なくとも１つの調整移動局からの、前記少なくとも１つの調整移動局の少なくとも１つのサービング基地局によって転送された、前記少なくとも１つのサービング基地局から前記少なくとも１つの調整移動局に至る少なくとも１つのダウンリンク信号の少なくとも１つのプリコーディング情報に対応する少なくとも１つのプリコーディング情報をそれぞれ受信するステップと、
ｎ．前記受信された少なくとも１つのプリコーディング情報を前記サービスを受ける移動局に送信するステップと、
ｏ．前記少なくとも１つの調整移動局の少なくとも１つのサービング基地局から前記サービスを受ける移動局に至る少なくとも１つのダウンリンク信号に対応する少なくとも１つのプリコーディング情報を受信するステップと、
ｐ．前記受信された少なくとも１つのプリコーディング情報を、前記少なくとも１つの調整移動局の少なくとも１つのサービング基地局にそれぞれ送信するステップとを備える方法。
【請求項２】
前記プリコーディング情報は、プリコーディング・ベクトル、またはプリコーディング・ベクトルのインデックスである、請求項１に記載の方法。
【請求項３】
前記プリコーディング情報がプリコーディング・ベクトルのインデックスである場合、前記ステップｅは、
ｅ１．前記基地局から前記サービスを受ける移動局に至るダウンリンク信号に対応するプリコーディング・ベクトルの前記受信されたインデックスにより、対応するプリコーディング・ベクトルを共有コードブックから探索し、さらに前記基地局から前記少なくとも１つの調整移動局に至る少なくとも１つのダウンリンク信号に対応する少なくとも１つのプリコーディング・ベクトルの前記受信されたインデックスにより、対応する少なくとも１つのプリコーディング・ベクトルを前記共有コードブックから探索するステップと、
ｅ２．前記基地局から前記サービスを受ける移動局に至るダウンリンク信号に対応する前記探索されたプリコーディング・ベクトルにより、前記基地局から前記サービスを受ける移動局に至るダウンリンク信号をプリコードし、さらに前記基地局から前記少なくとも１つの調整移動局に至る少なくとも１つのダウンリンク信号に対応する前記探索された少なくとも１つのプリコーディング・ベクトルにより、前記基地局から前記少なくとも１つの調整移動局に至る少なくとも１つのダウンリンク信号をプリコードするステップとをさらに備える、請求項２に記載の方法。
【請求項４】
協調ＭＩＭＯに基づく無線通信システムの移動局における同一チャネル干渉を制御するようにサービング基地局を支援する方法であって、
Ａ．サービング基地局からのダウンリンク基準信号、および少なくとも１つの調整基地局からの少なくとも１つのダウンリンク基準信号を受信するステップと、
Ｂ．前記サービング基地局からの前記受信されたダウンリンク基準信号により、前記サービング基地局から前記移動局に至るダウンリンク・チャネルのチャネル伝送行列を推定し、さらに前記少なくとも１つの調整基地局からの前記受信された少なくとも１つのダウンリンク基準信号により、前記少なくとも１つの調整基地局から前記移動局に至る少なくとも１つのダウンリンク・チャネルの少なくとも１つのチャネル伝送行列をそれぞれ推定するステップと、
Ｃ．前記サービング基地局から前記移動局に至るダウンリンク・チャネルの前記推定されたチャネル伝送行列により、共有コードブックから、前記サービング基地局から前記移動局に至るダウンリンク信号に対応するプリコーディング・ベクトルを選択するステップと、
Ｄ．前記サービング基地局から前記移動局に至るダウンリンク信号に対応するプリコーディング情報を前記サービング基地局に送信するステップと、
Ｅ．前記少なくとも１つの調整基地局からの前記少なくとも１つのサービスを受ける移動局からの、前記少なくとも１つの調整基地局、および前記サービング基地局によって転送された、前記少なくとも１つの調整基地局から前記少なくとも１つの調整基地局の少なくとも１つのサービスを受ける移動局に至る少なくとも１つのダウンリンク信号に対応する少なくとも１つのプリコーディング情報を受信するステップと、
Ｆ．前記受信された少なくとも１つのプリコーディング情報、および前記少なくとも１つの調整基地局から前記移動局に至る少なくとも１つのダウンリンク・チャネルの前記推定された少なくとも１つのチャネル伝送行列に基づいて、前記少なくとも１つの調整基地局から前記移動局に至る少なくとも１つのダウンリンク信号に対応する少なくとも１つのプリコーディング・ベクトルを共有コードブックからそれぞれ選択し、各調整基地局から前記移動局に至るダウンリンク信号に対応する前記プリコーディング・ベクトルは、前記調整基地局から前記調整基地局の前記サービスを受ける移動局に至るダウンリンク信号に対応する前記プリコーディング・ベクトルと直交であるステップと、
Ｇ．前記少なくとも１つの調整基地局から前記移動局に至る少なくとも１つのダウンリンク信号に対応する少なくとも１つのプリコーディング情報を前記サービング基地局に送信するステップとを備える方法。
【請求項５】
前記プリコーディング情報は、プリコーディング・ベクトル、またはプリコーディング・ベクトルのインデックスである、請求項４に記載の方法。
【請求項６】
前記プリコーディング情報がプリコーディング・ベクトルのインデックスである場合、前記ステップＤは、
Ｄ１．前記サービング基地局から前記移動局に至るダウンリンク信号に対応する前記選択されたプリコーディング・ベクトルにより、前記プリコーディング・ベクトルのインデックスを決定するステップと、
Ｄ２．前記サービング基地局から前記移動局に至るダウンリンク信号に対応する前記プリコーディング・ベクトルの前記決定されたインデックスを前記サービング基地局に送信するステップとをさらに備える、請求項５に記載の方法。
【請求項７】
前記プリコーディング情報は、プリコーディング・ベクトルのインデックスである方法であって、
前記ステップＦは、
Ｆ１．前記少なくとも１つの調整基地局から前記少なくとも１つの調整基地局の前記少なくとも１つのサービスを受ける移動局に至る少なくとも１つのダウンリンク信号に対応する少なくとも１つのプリコーディング・ベクトルの前記受信されたインデックスにより、対応する少なくとも１つのプリコーディング・ベクトルを前記共有コードブックから探索するステップと、
Ｆ２．前記探索された少なくとも１つのプリコーディング・ベクトル、および前記少なくとも１つの調整基地局から前記移動局に至る少なくとも１つのダウンリンク・チャネルの前記推定された少なくとも１つのチャネル伝送行列により、少なくとも１つの調整基地局から前記移動局に至る少なくとも１つのダウンリンク信号に対応する少なくとも１つのプリコーディング・ベクトルを前記共有コードブックからそれぞれ選択し、各調整基地局から前記移動局に至るダウンリンク信号に対応する前記プリコーディング・ベクトルは、前記調整基地局から前記調整基地局の前記サービスを受ける移動局に至るダウンリンク信号に対応する前記プリコーディング・ベクトルと直交するステップとをさらに備える、請求項５または６に記載の方法。
【請求項８】
協調ＭＩＭＯに基づく無線通信システムの基地局における同一チャネル干渉を制御する制御装置であって、
サービスを受ける移動局、および少なくとも１つの調整移動局にダウンリンク基準信号を送信するための第１の送信手段と、
前記基地局から前記サービスを受ける移動局に至るダウンリンク信号に対応するプリコーディング情報を前記サービスを受ける移動局から受信するための第１の受信手段と、
前記受信されたプリコーディング情報を前記少なくとも１つの調整移動局の少なくとも１つのサービング基地局に送信するための第２の送信手段と、
前記少なくとも１つの調整移動局からの、前記少なくとも１つの調整移動局の少なくとも１つのサービング基地局によって転送された、前記基地局から前記少なくとも１つの調整移動局に至る少なくとも１つのダウンリンク信号に対応する少なくとも１つのプリコーディング情報をそれぞれ受信するための第２の受信手段と、
前記基地局から前記サービスを受ける移動局に至るダウンリンク信号に対応する前記プリコーディング情報に基づいて、前記基地局から前記サービスを受ける移動局に至るダウンリンク信号をプリコードするため、および前記基地局から前記少なくとも１つの調整移動局に至る前記少なくとも１つのダウンリンク信号に対応する前記少なくとも１つのプリコーディング情報に基づいて、前記基地局から前記少なくとも１つの調整移動局に至る前記少なくとも１つのダウンリンク信号をそれぞれプリコードするための第１のプリコーディング手段とを備え、
前記少なくとも１つの調整移動局からの、前記少なくとも１つの調整移動局の少なくとも１つのサービング基地局によって転送された前記少なくとも１つのサービング基地局から前記少なくとも１つの調整移動局に至る少なくとも１つのダウンリンク信号の少なくとも１つのプリコーディング情報に対応する少なくとも１つのプリコーディング情報をそれぞれ受信するための第３の受信手段と、
前記受信された少なくとも１つのプリコーディング情報を前記サービスを受ける移動局に送信するための第３の送信手段と、
前記少なくとも１つの調整移動局の少なくとも１つのサービング基地局から前記サービスを受ける移動局に至る少なくとも１つのダウンリンク信号に対応する少なくとも１つのプリコーディング情報を受信するための第６の受信手段と、
前記受信された少なくとも１つのプリコーディング情報を、前記少なくとも１つの調整移動局の少なくとも１つのサービング基地局にそれぞれ送信するための第７の受信手段とをさらに含む制御装置。
【請求項９】
前記プリコーディング情報は、プリコーディング・ベクトル、またはプリコーディング・ベクトルのインデックスである、請求項８に記載の制御装置。
【請求項１０】
前記プリコーディング情報がプリコーディング・ベクトルのインデックスである場合、前記プリコーディング手段は、
前記基地局から前記サービスを受ける移動局に至るダウンリンク信号に対応するプリコーディング・ベクトルの前記受信されたインデックスにより、対応するプリコーディング・ベクトルを共有コードブックから探索し、さらに前記基地局から前記少なくとも１つの調整移動局に至る少なくとも１つのダウンリンク信号に対応する少なくとも１つのプリコーディング・ベクトルの前記受信されたインデックスにより、対応する少なくとも１つのプリコーディング・ベクトルを前記共有コードブックから探索するための第１の探索手段と、
前記基地局から前記サービスを受ける移動局に至るダウンリンク信号に対応する前記探索されたプリコーディング・ベクトルにより、前記基地局から前記サービスを受ける移動局に至るダウンリンク信号をプリコードし、さらに前記基地局から前記少なくとも１つの調整移動局に至る少なくとも１つのダウンリンク信号に対応する前記探索された少なくとも１つのプリコーディング・ベクトルにより、前記基地局から前記少なくとも１つの調整移動局に至る少なくとも１つのダウンリンク信号をプリコードするための第２のプリコーディング手段とを含む、請求項９に記載の制御装置。
【請求項１１】
協調ＭＩＭＯに基づく無線通信システムの移動局における同一チャネル干渉を制御するようにサービング基地局を支援する支援制御装置であって、
サービング基地局からのダウンリンク基準信号、および少なくとも１つの調整基地局からの少なくとも１つのダウンリンク基準信号を受信するための第４の受信手段と、
前記サービング基地局からの前記受信されたダウンリンク基準信号により、前記サービング基地局から前記移動局に至るダウンリンク・チャネルのチャネル伝送行列を推定するため、および前記少なくとも１つの調整基地局からの前記受信された少なくとも１つのダウンリンク基準信号により、前記少なくとも１つの調整基地局から前記移動局に至る少なくとも１つのダウンリンク・チャネルの少なくとも１つのチャネル伝送行列をそれぞれ推定するための推定手段と、
前記サービング基地局から前記移動局に至るダウンリンク・チャネルの前記推定されたチャネル伝送行列により、前記サービング基地局から前記移動局に至るダウンリンク信号に対応するプリコーディング・ベクトルを共有コードブックから選択するための第１の選択手段と、
前記サービング基地局から前記移動局に至るダウンリンク信号に対応するプリコーディング情報を前記サービング基地局に送信するための第４の送信手段と、
前記少なくとも１つの調整基地局から少なくとも１つのサービスを受ける移動局からの、前記少なくとも１つの調整基地局、および前記サービング基地局によって転送された、前記少なくとも１つの調整基地局から前記少なくとも１つの調整基地局の少なくとも１つのサービスを受ける移動局に至る少なくとも１つのダウンリンク信号に対応する少なくとも１つのプリコーディング情報を受信するための第５の受信手段と、
前記受信された少なくとも１つのプリコーディング情報、および前記少なくとも１つの調整基地局から前記移動局に至る少なくとも１つのダウンリンク・チャネルの前記推定された少なくとも１つのチャネル伝送行列に基づいて、少なくとも１つの調整基地局から前記移動局に至る少なくとも１つのダウンリンク信号に対応する少なくとも１つのプリコーディング・ベクトルを前記共有コードブックからそれぞれ選択するための、各調整基地局から前記移動局に至るダウンリンク信号に対応する前記プリコーディング・ベクトルは、前記調整基地局から前記調整基地局の前記サービスを受ける移動局に至るダウンリンク信号に対応する前記プリコーディング・ベクトルと直交する第２の選択手段と、
前記少なくとも１つの調整基地局から前記移動局に至る少なくとも１つのダウンリンク信号に対応する少なくとも１つのプリコーディング情報を前記サービング基地局に送信するための第５の送信手段とを備える支援制御装置。
【請求項１２】
前記プリコーディング情報は、プリコーディング・ベクトル、またはプリコーディング・ベクトルのインデックスである、請求項１１に記載の支援制御装置。
【請求項１３】
前記プリコーディング情報は、プリコーディング・ベクトルのインデックスである支援制御装置であって、前記第４の送信手段は、
前記サービング基地局から前記移動局に至るダウンリンク信号に対応する前記選択されたプリコーディング・ベクトルにより、前記プリコーディング・ベクトルのインデックスを決定するための決定手段と、
前記サービング基地局から前記移動局に至るダウンリンク信号に対応する前記プリコーディング・ベクトルの前記決定されたインデックスを前記サービング基地局に送信するための第６の送信手段とをさらに含む、請求項１２に記載の支援制御装置。
【請求項１４】
前記プリコーディング情報は、プリコーディング・ベクトルのインデックスである支援制御装置であって、前記第２の選択手段は、
前記少なくとも１つの調整基地局から前記少なくとも１つの調整基地局の前記少なくとも１つのサービスを受ける移動局に至る少なくとも１つのダウンリンク信号に対応する少なくとも１つのプリコーディング・ベクトルの前記受信されたインデックスにより、対応する少なくとも１つのプリコーディング・ベクトルを前記共有コードブックから探索するための第２の探索手段と、
前記探索された少なくとも１つのプリコーディング・ベクトル、および前記少なくとも１つの調整基地局から前記移動局に至る少なくとも１つのダウンリンク・チャネルの前記推定された少なくとも１つのチャネル伝送行列により、少なくとも１つの調整基地局から前記移動局に至る少なくとも１つのダウンリンク信号に対応する少なくとも１つのプリコーディング・ベクトルを前記共有コードブックからそれぞれ選択するための、各調整基地局から前記移動局に至るダウンリンク信号に対応する前記プリコーディング・ベクトルは、前記調整基地局から前記調整基地局の前記サービスを受ける移動局に至るダウンリンク信号に対応する前記プリコーディング・ベクトルと直交する第３の選択手段とをさらに含む、請求項１２または１３に記載の支援制御装置。
【発明の詳細な説明】
【技術分野】
【０００１】
本発明は、無線通信システムに関し、より詳細には、Ｃｏ−ＭＩＭＯ（協調ＭＩＭＯ）に基づく無線通信システムに関する。
【背景技術】
【０００２】
次世代無線通信システムは、より高いスペクトル効率、より良好なカバレッジ、およびより高いピーク・データ転送速度などの、より高い目標を目指す。しかし、これらの要件は、大きな課題、つまり、特にセル縁端ユーザに関して、無線通信システムのパフォーマンス向上の深刻な妨げとなっているＩＣＩ（セル間干渉）をもたらしている。ＩＣＩを克服するため、多くの技術が提案されてきたが、Ｃｏ−ＭＩＭＯが、セル縁端スループットと平均セクタ・スループットを同時に向上させることができるため、最も有望な技術の１つとなっている。
【０００３】
Ｃｏ−ＭＩＭＯの基本的な考え方は、複数のＢＳ（基地局）および複数のＭＳ（移動局）の間で共同ＭＩＭＯ伝送を実行することである。各ＢＳが、ＣＣＩ（同一チャネル干渉）を制御するマルチユーザ・プリコーディングを実行する。効果的なプリコーディングを実行するために、各ＢＳは、そのＢＳがサービスを提供するＭＳのＣＳＩ（チャネル状態情報）を知る必要がある。
【０００４】
ＴＤＤ（時分割複信）モードにおいて、アップリンクのチャネル応答情報とダウンリンクのチャネル応答情報は対称的である。したがって、各基地局は、ＭＳからのアップリンクにより、ＭＳから各ＢＳに至るアップリンク・チャネル応答を獲得することができ、さらにこのアップリンク・チャネル応答により、各ＢＳからＭＳに至るダウンリンク情報、および対応するそれぞれのダウンリンク・プリコーディング行列を計算することができる。
【０００５】
しかし、ＦＤＤ（周波数分割複信）モードにおいては、アップリンクとダウンリンクの間の搬送波の周波数差は、一般に、チャネルのコヒーレント帯域幅より大きく、したがって、アップリンクのチャネル・フェージングとダウンリンクのチャネル・フェージングは互いに関係しておらず、各ＢＳが、アップリンク・チャネル・フェージングにより、そのＢＳのダウンリンク・チャネル情報を算出することができないことをもたらす。このため、各ＢＳは、対応するそれぞれのダウンリンク・プリコーディング行列を算出することができない。単一ＢＳ  ＭＩＭＯシステムにおいて、この問題は、コードブック・フィードバックを介して解決される。つまり、事前設定されたコードブックが、ＢＳとＭＳの間で共有される。ＭＳは、ダウンリンク・パイロット信号などの基準信号により、ダウンリンク・チャネルを推定し、次に、コードブックからの適切なコードワードをプリコーディング行列として選択し、さらにそのコードワードのインデックスをＢＳにフィードバックする。ＢＳは、ＭＳの、このフィードバックを使用することによって、プリコーディングを実行する。単一ＢＳ  ＭＩＭＯシステムの動作フローチャートおよび機構と、Ｃｏ−ＭＩＭＯシステムの動作フローチャートおよび機構とは、非常に異なるので、コードブック・フィードバックに基づく現在の単一ＢＳプリコーディング技術をＣｏ−ＭＩＭＯシステムにまで直接に広げることは、非常に困難である。今日、従来技術においてこの問題を解決することができる効果的な方法は、全く存在しない。
【発明の概要】
【発明が解決しようとする課題】
【０００６】
従来技術における前述した欠点を解決するため、本発明は、協調ＭＩＭＯに基づく無線通信システムの基地局における同一チャネル干渉を制御する方法および装置、ならびに協調ＭＩＭＯに基づく無線通信システムの移動局における同一チャネル干渉を制御するようにサービング基地局を支援する対応する方法および装置を提供する。
【課題を解決するための手段】
【０００７】
本発明の第１の態様によれば、協調ＭＩＭＯに基づく無線通信システムの基地局における同一チャネル干渉を制御する方法が提供され、この方法は、ａ．サービスを受ける移動局、および少なくとも１つの調整移動局にダウンリンク基準信号を送信するステップと、ｂ．基地局から、サービスを受ける移動局に至るダウンリンク信号に対応するプリコーディング情報を、サービスを受ける移動局から受信するステップと、ｃ．受信されたプリコーディング情報を、少なくとも１つの調整移動局の少なくとも１つのサービング基地局に送信するステップと、ｄ．少なくとも１つの調整移動局からの、少なくとも１つの調整移動局の少なくとも１つのサービング基地局によって転送された、基地局から少なくとも１つの調整移動局に至る少なくとも１つのダウンリンク信号に対応する少なくとも１つのプリコーディング情報をそれぞれ受信するステップと、ｅ．基地局から、サービスを受ける移動局に至るダウンリンク信号に対応するプリコーディング情報に基づいて、基地局から、サービスを受ける移動局に至るダウンリンク信号をプリコードし、さらに基地局から少なくとも１つの調整移動局に至る少なくとも１つのダウンリンク信号に対応する少なくとも１つのプリコーディング情報に基づいて、基地局から少なくとも１つの調整移動局に至る少なくとも１つのダウンリンク信号をそれぞれプリコードするステップとを備え、ステップｂの後、ステップｅより前に、この方法は、ｍ．少なくとも１つの調整移動局からの、少なくとも１つの調整移動局の少なくとも１つのサービング基地局によって転送された、少なくとも１つのサービング基地局から少なくとも１つの調整移動局に至る少なくとも１つのダウンリンク信号の少なくとも１つのプリコーディング情報に対応する少なくとも１つのプリコーディング情報をそれぞれ受信するステップと、ｎ．受信された少なくとも１つのプリコーディング情報をサービスを受ける移動局に送信するステップと、ｏ．少なくとも１つの調整移動局の少なくとも１つのサービング基地局から、サービスを受ける移動局に至る少なくとも１つのダウンリンク信号に対応する少なくとも１つのプリコーディング情報を受信するステップと、ｐ．受信された少なくとも１つのプリコーディング情報を、少なくとも１つの調整移動局の少なくとも１つのサービング基地局にそれぞれ送信するステップとを備える。
【０００８】
本発明の第２の態様によれば、協調ＭＩＭＯに基づく無線通信システムの移動局における同一チャネル干渉を制御するようにサービング基地局を支援する方法が提供され、この方法は、Ａ．サービング基地局からのダウンリンク基準信号、および少なくとも１つの調整基地局からの少なくとも１つのダウンリンク基準信号を受信するステップと、Ｂ．サービング基地局からの受信されたダウンリンク基準信号により、サービング基地局から移動局に至るダウンリンク・チャネルのチャネル伝送行列を推定し、さらに少なくとも１つの調整基地局からの受信された少なくとも１つのダウンリンク基準信号により、少なくとも１つの調整基地局から移動局に至る少なくとも１つのダウンリンク・チャネルの少なくとも１つのチャネル伝送行列をそれぞれ推定するステップと、Ｃ．サービング基地局から移動局に至るダウンリンク・チャネルの推定されたチャネル伝送行列により、共有コードブックから、サービング基地局から移動局に至るダウンリンク信号に対応するプリコーディング・ベクトルを選択するステップと、Ｄ．サービング基地局から移動局に至るダウンリンク信号に対応するプリコーディング情報をサービング基地局に送信するステップと、Ｅ．少なくとも１つの調整基地局からの少なくとも１つのサービスを受ける移動局からの、少なくとも１つの協調基地局、およびサービング基地局によって転送された、少なくとも１つの調整基地局から少なくとも１つの調整基地局の少なくとも１つのサービスを受ける移動局に至る少なくとも１つのダウンリンク信号に対応する少なくとも１つのプリコーディング情報を受信するステップと、Ｆ．受信された少なくとも１つのプリコーディング情報、および少なくとも１つの調整基地局から移動局に至る少なくとも１つのダウンリンク・チャネルの推定された少なくとも１つのチャネル伝送行列に基づいて、少なくとも１つの調整基地局から移動局に至る少なくとも１つのダウンリンク信号に対応する少なくとも１つのプリコーディング・ベクトルを共有コードブックからそれぞれ選択し、各調整基地局から移動局に至るダウンリンク信号に対応するプリコーディング・ベクトルは、調整基地局から、調整基地局のサービスを受ける移動局に至るダウンリンク信号に対応するプリコーディング・ベクトルと直交であるステップと、Ｇ．少なくとも１つの調整基地局から移動局に至る少なくとも１つのダウンリンク信号に対応する少なくとも１つのプリコーディング情報をサービング基地局に送信するステップとを備える。
【０００９】
本発明の第３の態様によれば、協調ＭＩＭＯに基づく無線通信システムの基地局における同一チャネル干渉を制御する制御装置が提供され、この装置は、サービスを受ける移動局、および少なくとも１つの調整移動局にダウンリンク基準信号を送信するための第１の送信手段と、基地局からサービスを受ける移動局に至るダウンリンク信号に対応するプリコーディング情報をサービスを受ける移動局から受信するための第１の受信手段と、受信されたプリコーディング情報を少なくとも１つの調整移動局の少なくとも１つのサービング基地局に送信するための第２の送信手段と、少なくとも１つの調整移動局からの、少なくとも１つの調整移動局の少なくとも１つのサービング基地局によって転送された、基地局から少なくとも１つの調整移動局に至る少なくとも１つのダウンリンク信号に対応する少なくとも１つのプリコーディング情報をそれぞれ受信するための第２の受信手段と、基地局からサービスを受ける移動局に至るダウンリンク信号に対応するプリコーディング情報に基づいて、基地局からサービスを受ける移動局に至るダウンリンク信号をプリコードするため、および基地局から少なくとも１つの調整移動局に至る少なくとも１つのダウンリンク信号に対応する少なくとも１つのプリコーディング情報に基づいて、基地局から少なくとも１つの調整移動局に至る少なくとも１つのダウンリンク信号をそれぞれプリコードするための第１のプリコーディング手段とを備え、制御装置は、少なくとも１つの調整移動局からの、少なくとも１つの調整移動局の少なくとも１つのサービング基地局によって転送された少なくとも１つのサービング基地局から少なくとも１つの調整移動局に至る少なくとも１つのダウンリンク信号の少なくとも１つのプリコーディング情報に対応する少なくとも１つのプリコーディング情報をそれぞれ受信するための第３の受信手段と、受信された少なくとも１つのプリコーディング情報をサービスを受ける移動局に送信するための第３の送信手段と、少なくとも１つの調整移動局の少なくとも１つのサービング基地局からサービスを受ける移動局に至る少なくとも１つのダウンリンク信号に対応する少なくとも１つのプリコーディング情報を受信するための第６の受信手段と、受信された少なくとも１つのプリコーディング情報を、少なくとも１つの調整移動局の少なくとも１つのサービング基地局にそれぞれ送信するための第７の受信手段とをさらに含む。
【００１０】
本発明の第４の態様によれば、協調ＭＩＭＯに基づく無線通信システムの移動局における同一チャネル干渉を制御するようにサービング基地局を支援する支援制御装置が提供され、この支援制御装置は、サービング基地局からのダウンリンク基準信号、および少なくとも１つの調整基地局からの少なくとも１つのダウンリンク基準信号を受信するための第４の受信手段と、サービング基地局からの受信されたダウンリンク基準信号により、サービング基地局から移動局に至るダウンリンク・チャネルのチャネル伝送行列を推定するため、および少なくとも１つの調整基地局からの受信された少なくとも１つのダウンリンク基準信号により、少なくとも１つの調整基地局から移動局に至る少なくとも１つのダウンリンク・チャネルの少なくとも１つのチャネル伝送行列をそれぞれ推定するための推定手段と、サービング基地局から移動局に至るダウンリンク・チャネルの推定されたチャネル伝送行列により、サービング基地局から移動局に至るダウンリンク信号に対応するプリコーディング・ベクトルを共有コードブックから選択するための第１の選択手段と、サービング基地局から移動局に至るダウンリンク信号に対応するプリコーディング情報をサービング基地局に送信するための第４の送信手段と、少なくとも１つの調整基地局からの少なくとも１つのサービスを受ける移動局からの、少なくとも１つの調整基地局、およびサービング基地局によって転送された、少なくとも１つの調整基地局から少なくとも１つの調整基地局の少なくとも１つのサービスを受ける移動局に至る少なくとも１つのダウンリンク信号に対応する少なくとも１つのプリコーディング情報を受信するための第５の受信手段と、受信された少なくとも１つのプリコーディング情報、および少なくとも１つの調整基地局から移動局に至る少なくとも１つのダウンリンク・チャネルの推定された少なくとも１つのチャネル伝送行列に基づいて、少なくとも１つの調整基地局から移動局に至る少なくとも１つのダウンリンク信号に対応する少なくとも１つのプリコーディング・ベクトルを共有コードブックからそれぞれ選択するための、各調整基地局から移動局に至るダウンリンク信号に対応するプリコーディング・ベクトルは、調整基地局から、調整基地局のサービスを受ける移動局に至るダウンリンク信号に対応するプリコーディング・ベクトルと直交する第２の選択手段と、少なくとも１つの調整基地局から移動局に至る少なくとも１つのダウンリンク信号に対応する少なくとも１つのプリコーディング情報をサービング基地局に送信するための第５の送信手段とを備える。
【００１１】
コードブックに基づくフィードバック機構が、ＢＳがプリコーディング情報を獲得することを可能にするように本発明におけるＣｏ−ＭＩＭＯシステムにおいて使用されるので、本発明は、ＴＤＤモードとＦＤＤモードの両方に使用されることが可能である。さらに、同一のＢＳに関して異なるＭＳによって選択されるプリコーディング・ベクトルは、常に直交であるので、マルチユーザ同一チャネル干渉が低減されることが可能である。
【００１２】
図の限定的でない実施形態の以下の説明を参照して、その他の特徴、目的、および利点が、より明白となろう。
【図面の簡単な説明】
【００１３】
【図１】本発明の詳細な実施形態によるＣｏ−ＭＩＭＯに基づく無線通信システムを示すネットワーク概略図である。
【図２】本発明の詳細な実施形態によるＣｏ−ＭＩＭＯに基づく無線通信システムにおける同一チャネル干渉を制御する方法を示す流れ図である。
【図３】本発明の詳細な実施形態による同一チャネル干渉を制御するためのＣｏ−ＭＩＭＯに基づく無線通信システムのＢＳにおける制御装置を示すブロック図である。
【図４】本発明の詳細な実施形態による同一チャネル干渉を制御するためのＣｏ−ＭＩＭＯに基づく無線通信システムのＭＳにおける支援制御装置を示すブロック図である。
【発明を実施するための形態】
【００１４】
以上の様々な図を通じて、同一の、または同様の参照符号は、対応する特徴または機能を指す。
【００１５】
これらの図を参照して、本発明を以下に詳細に説明する。
【００１６】
図１は、本発明の詳細な実施形態によるＣｏ−ＭＩＭＯに基づく無線通信システムのネットワーク概略図を示す。
【００１７】
図１に示される無線通信システムは、ＭＳ１ａ、ＭＳ１ｂ、ＢＳ２ａ、およびＢＳ２ｂを含む。本発明の技術的ソリューションは、無線通信システムが２つのＢＳと、２つのＭＳとを含む実施例を使用して、後段で説明されることに留意すべきであるが、本発明の無線通信システムは、２つのＢＳ、および２つのＭＳに限定されないことが当業者には認識されよう。
【００１８】
さらに、一般性を失うことなく、本発明は、ＭＳ１ａとＭＳ１ｂがともに２つの受信アンテナを含み、さらにＢＳ２ａとＢＳ２ｂがともに４つの送信アンテナを含む実施例を使用することによって、後段で説明される。特定の応用例において、当業者には理解され、本明細書で詳細に説明されるとおり、ＢＳ２ａおよびＢＳ２ｂは、任意の数の送信アンテナを含むことが可能であり、ＭＳ１ａおよびＭＳ１ｂは、任意の数の受信アンテナを含むことが可能であることに留意されたい。ＭＳ１ａおよびＭＳ１ｂが、ＢＳ２ａおよびＢＳ２ｂから受信されたデータ・ストリームを正確に復元することを確実にするために、ＭＳ１ａの受信アンテナの数は、ＭＳ１ａによってＢＳ２ａおよびＢＳ２ｂから受信されるデータ・ストリームのストリーム数以上でなければならないことに留意されたい。同様に、ＭＳ１ｂの受信アンテナの数も、ＭＳ１ｂによってＢＳ２ａおよびＢＳ２ｂから受信されるデータ・ストリームのストリーム数以上でなければならない。
【００１９】
図１に示されるＣｏ−ＭＩＭＯに基づく無線通信システムにおいて、ＢＳ２ａは、ＭＳ１ａおよびＭＳ１ｂにそれぞれ１つのデータ・ストリームを送信し、さらに同様に、ＢＳ２ｂも、ＭＳ１ａおよびＭＳ１ｂにそれぞれ１つのデータ・ストリームを送信するものと想定される。
【００２０】
ＢＳ２ａに関して、ＭＳ１ａは、ＢＳ２ａのサービスを受けるＭＳであり、ＭＳ１ｂは、ＢＳ２ａの調整ＭＳである。ＢＳ２ｂに関して、ＭＳ１ｂは、ＢＳ２ｂのサービスを受けるＭＳであり、ＭＳ１ａは、ＢＳ２ｂの調整ＭＳである。
【００２１】
ＭＳ１ａに関して、ＢＳ２ａは、ＭＳ１ａのサービングＢＳであり、ＢＳ２ｂは、ＭＳ１ａの調整ＢＳである。ＭＳ１ｂに関して、ＢＳ２ｂは、ＭＳ１ｂのサービングＢＳであり、ＢＳ２ａは、ＭＳ１ｂの調整ＢＳである。
【００２２】
図２は、本発明の詳細な実施形態によるＣｏ−ＭＩＭＯに基づく無線通信システムにおける同一チャネル干渉を制御する方法の流れ図を示す。
【００２３】
図２を参照し、図１に関連して、本発明の技術的ソリューションを詳細に説明する。また、前述した図１に関する説明も、この場合、参考にする。
【００２４】
第１に、ステップＳ１で、ＢＳ２ａが、ＭＳ１ａおよびＭＳ１ｂにダウンリンク基準信号を送信する。ダウンリンク基準信号は、公開パイロット信号、つまり、訓練系列であることが可能である。
【００２５】
第２に、ステップＳ２で、ＭＳ１ａが、ＢＳ２ａからダウンリンク基準信号を受信し、ステップＳ２’で、ＭＳ１ｂが、ＢＳ２ａからダウンリンク基準信号を受信する。
【００２６】
ステップＳ２とステップＳ２’の間に必然的な順序は存在しないことに留意されたい。
【００２７】
このため、ステップＳ３で、ＭＳ１ａが、ＢＳ２ａから受信されたダウンリンク基準信号により、ＢＳ２ａからＭＳ１ａに至るダウンリンク・チャネルのチャネル伝送行列Ｈａ，ａを推定し、ステップＳ３’で、ＭＳ１ｂが、ＢＳ２ａから受信されたダウンリンク基準信号により、ＢＳ２ａからＭＳ１ｂに至るダウンリンク・チャネルのチャネル伝送行列Ｈｂ，ａを推定する。
【００２８】
ステップＳ３とステップＳ３’の間に必然的な順序は存在しないことに留意されたい。
【００２９】
ＭＳ１ａが、ＢＳ２ａからＭＳ１ａに至るダウンリンク・チャネルのチャネル伝送行列Ｈａ，ａを推定した後、ステップＳ４で、推定されたチャネル伝送行列Ｈａ，ａにより、ＭＳ１ａが、ＢＳ２ａからＭＳ１ａに至るダウンリンク信号に対応するプリコーディング・ベクトルｖａ，ａを共有コードブックから選択する。
【００３０】
さらに、ＭＳ１ａによる、プリコーディング・ベクトルｖａ，ａを共有コードブックから選択することは、以下の式、すなわち、
【数１】
0005266497.tif 000002
に基づく。
【００３１】
Ｃは、コードブックを表し、前述の式は、コードブックＣにおけるベクトルｃのいずれの列も走査されることを表す。｜Ｈｂ，ｂｃ｜２が最大値に達するようにするベクトルｃの列が、ＢＳ２ａからＭＳ１ａに至るダウンリンク信号に対応するプリコーディング・ベクトルｖａ，ａである。
【００３２】
この説明では、技術的ソリューションは、ＢＳ２ａがＭＳ１ａに１つのデータ・ストリームを送信する実施例を使用することによって説明されるので、ＭＳ１ａは、共有コードブックから、前述の式を満たすベクトルの或る列を、データ・ストリームに関するプリコーディング・ベクトルとして選択するだけでよいことに留意されたい。しかし、ＢＳ２ａがＭＳ１ａに複数のデータ・ストリームを送信する場合、ＭＳ１ａは、共有コードブックから、前述の式を満たすベクトルの複数の列を、その複数のデータ・ストリームに関するプリコーディング・ベクトルとして選択しなければならないことが当業者には認識されよう。
【００３３】
さらに、共有コードブックは、ＭＳ１ａ、ＭＳ１ｂ、ＢＳ２ａ、およびＢＳ２ｂの間で共有される。さらに、コードブックは、当業者に理解可能であり、本明細書で詳細に説明されることはない、ＤＦＴコードブック、３ＧＰＰ  ＬＴＥコードブック、ＩＥＥＥ８０２．１６ｅコードブック、または他のタイプのコードブックであることが可能である。
【００３４】
通常、このコードブックは、複数のプリコーディング行列から成り、各行列は、ベクトルの複数の列から成る。好ましくは、同一のプリコーディング行列の中のプリコーディング・ベクトルの各列は、互いに直交である。
【００３５】
さらに、プリコーディング行列の行の数は、ＢＳ送信アンテナの数と等しい。プリコーディング行列の列の数は、ＢＳによって送信され得る最大データ・ストリーム数と等しい。この実施形態において、ＢＳ２ａおよびＢＳ２ｂはそれぞれ、４つの送信アンテナを含み、さらにＢＳによって送信され得る最大データ・ストリーム数は、４であると想定されるので、共有コードブックの中のプリコーディング行列は、４×４行列である。
【００３６】
ＭＳ１ａが、ＢＳ２ａからＭＳ１ａに至るダウンリンク信号に対応するプリコーディング・ベクトルｖａ，ａを共有コードブックから選択した後、ステップＳ５で、ＭＳ１ａが、ＢＳ２ａからＭＳ１ａに至るダウンリンク信号に対応するプリコーディング情報をＢＳ２ａに送信する。
【００３７】
ＭＳ１ａは、ＢＳ２ａからＭＳ１ａに至るダウンリンク信号に対応するプリコーディング・ベクトルｖａ，ａをＢＳ２ａに直接に送信することができることに留意されたい。好ましくは、ＭＳ１ａは、ＢＳ２ａからＭＳ１ａに至るダウンリンク信号に対応するプリコーディング・ベクトルｖａ，ａのインデックスをＢＳ２ａに送信することができる。
【００３８】
以下に、ＭＳ１ａが、ＢＳ２ａからＭＳ１ａに至るダウンリンク信号に対応するプリコーディング・ベクトルｖａ，ａのインデックスをＢＳ２ａに送信する実施例を説明する。
【００３９】
次に、ステップＳ６で、ＢＳ２ａが、ＭＳ１ａから、ＢＳ２ａからＭＳ１ａに至るダウンリンク信号に対応するプリコーディング・ベクトルｖａ，ａのインデックスを受信する。次に、ステップＳ７で、ＢＳ２ａが、ＢＳ２ａからＭＳ１ａに至るダウンリンク信号に対応するプリコーディングｖａ，ａの受信されたインデックスをＢＳ２ｂに送信する。
【００４０】
以上は、ＢＳ２ａの見地から説明したが、ＢＳ２ｂがＭＳ１ｂおよびＭＳ１ａと対話する一方で、ＢＳ２ａがＭＳ１ａおよびＭＳ１ｂと対話することも当業者には理解可能である。
【００４１】
より具体的には、第１に、ＢＳ２ｂが、ＭＳ１ｂおよびＭＳ１ａにダウンリンク基準信号を送信する。ダウンリンク基準信号は、公開パイロット信号、つまり、訓練系列であることが可能である。
【００４２】
第２に、ＭＳ１ｂが、ＢＳ２ｂからダウンリンク基準信号を受信し、ステップＳ２’で、ＭＳ１ａが、ＢＳ２ｂからダウンリンク基準信号を受信する。
【００４３】
同様に、ＭＳ１ｂがＢＳ２ｂからダウンリンク基準信号を受信するステップと、ＭＳ１ａがＢＳ２ｂからダウンリンク基準信号を受信するステップの間に必然的な順序は存在しない。
【００４４】
次に、ＭＳ１ｂが、ＢＳ２ｂから受信されたダウンリンク基準信号により、ＢＳ２ｂからＭＳ１ｂに至るダウンリンク・チャネルのチャネル伝送行列Ｈｂ，ｂを推定し、ＭＳ１ａが、ＢＳ２ｂから受信されたダウンリンク基準信号により、ＢＳ２ｂからＭＳ１ａに至るダウンリンク・チャネルのチャネル伝送行列Ｈａ，ｂを推定する。
【００４５】
次に、推定されたチャネル伝送行列Ｈｂ，ｂにより、ＭＳ１ｂが、ＢＳ２ｂからＭＳ１ｂに至るダウンリンク信号に対応するプリコーディング・ベクトルｖｂ，ｂを共有コードブックから選択する。
【００４６】
さらに、ＭＳ１ｂによる、プリコーディング・ベクトルｖｂ，ｂを共有コードブックから選択することは、以下の式、すなわち、
【数２】
0005266497.tif 000003
に基づく。
【００４７】
Ｃは、コードブックを表し、前述の式は、コードブックＣにおけるベクトルｃのいずれの列も走査されることを表す。｜Ｈｂ，ｂｃ｜２が最大値に達するようにするベクトルｃの列が、ＢＳ２ｂからＭＳ１ｂに至るダウンリンク信号に対応するプリコーディング・ベクトルｖｂ，ｂである。
【００４８】
次に、ＭＳ１ｂが、ＢＳ２ｂからＭＳ１ｂに至るダウンリンク信号に対応するプリコーディング情報をＢＳ２ｂに送信する。
【００４９】
ＭＳ１ｂは、ＢＳ２ｂからＭＳ１ｂに至るダウンリンク信号に対応するプリコーディング・ベクトルｖｂ，ｂをＢＳ２ｂに直接に送信することができることに留意されたい。好ましくは、ＭＳ１ｂは、ＢＳ２ｂからＭＳ１ｂに至るダウンリンク信号に対応するプリコーディング・ベクトルｖｂ，ｂのインデックスをＢＳ２ｂに送信することができる。
【００５０】
以下に、ＭＳ１ｂが、ＢＳ２ｂからＭＳ１ｂに至るダウンリンク信号に対応するプリコーディング・ベクトルｖｂ，ｂのインデックスをＢＳ２ｂに送信する実施例が説明される。
【００５１】
ＢＳ２ｂが、ＭＳ１ｂから、ＢＳ２ｂからＭＳ１ｂに至るダウンリンク信号に対応するプリコーディング・ベクトルｖｂ，ｂのインデックスを受信した後、ＢＳ２ｂは、プリコーディング・ベクトルｖｂ，ｂのインデックスをＢＳ２ａに送信する。
【００５２】
ステップＳ７’で、ＢＳ２ａが、ＭＳ１ｂからＢＳ２ｂによって転送された、ＢＳ２ｂからＭＳ１ｂに至るダウンリンク信号に対応するプリコーディング・ベクトルｖｂ，ｂのインデックスを受信する。次に、ステップＳ８で、ＢＳ２ａが、プリコーディング・ベクトルｖｂ，ｂの受信されたインデックスをＭＳ１ａに送信する。
【００５３】
前述のステップＳ７とステップＳ７’の間に必然的な順序は存在しないことに留意されたい。
【００５４】
次に、ステップＳ９で、ＭＳ１ａが、ＢＳ２ａによって転送された、ＢＳ２ｂからＭＳ１ｂに至るダウンリンク信号に対応するプリコーディング・ベクトルｖｂ，ｂのインデックスを受信し、その後、ステップＳ１０で、ＢＳ２ｂからＭＳ１ｂに至るダウンリンク信号に対応するプリコーディング・ベクトルｖｂ，ｂの受信されたインデックス、およびＢＳ２ｂからＭＳ１ａに至るダウンリンク・チャネルの推定されたチャネル伝送行列Ｈａ，ｂに基づいて、ＭＳ１ａが、ＢＳ２ｂからＭＳ１ａに至るダウンリンク信号に対応するプリコーディング・ベクトルｖａ，ｂを共有コードブックから選択する。
【００５５】
より具体的には、第１に、ＢＳ２ｂからＭＳ１ｂに至るダウンリンク信号に対応するプリコーディング・ベクトルｖｂ，ｂの受信されたインデックスにより、ＭＳ１ａが、対応するプリコーディング・ベクトルｖｂ，ｂを共有コードブックから探索する。次に、ＢＳ２ｂからＭＳ１ｂに至るダウンリンク信号に対応するプリコーディング・ベクトルｖｂ，ｂ、およびＢＳ２ｂからＭＳ１ａに至るダウンリンク・チャネルの推定されたチャネル伝送行列Ｈａ，ｂにより、ＭＳ１ａが、ＢＳ２ｂからＭＳ１ａに至るダウンリンク信号に対応するプリコーディング・ベクトルｖａ，ｂを共有コードブックから選択する。
【００５６】
共有コードブックからの、ＢＳ２ｂからＭＳ１ａに至るダウンリンク信号に対応する選択されたプリコーディング・ベクトルｖａ，ｂは、ＢＳ２ｂからＭＳ１ｂに至るダウンリンク信号に対応する選択されたプリコーディング・ベクトルｖｂ，ｂと直交していなければならない。
【００５７】
共有コードブックの中の各プリコーディング行列の中のプリコーディング・ベクトルの各列は、互いに直交しているので、好ましくは、ＢＳ２ｂからＭＳ１ａに至るダウンリンク・チャネルの推定されたチャネル伝送行列Ｈａ，ｂにより、ＭＳ１ａが、ＢＳ２ｂからＭＳ１ａに至るダウンリンク信号に対応するプリコーディング・ベクトルｖａ，ｂを、ＢＳ２ｂからＭＳ１ｂに至るダウンリンク信号に対応するプリコーディング・ベクトルｖｂ，ｂが配置されているプリコーディング行列から選択する。
【００５８】
さらに、ＭＳ１ａによる、プリコーディング・ベクトルｖａ，ｂを共有コードブックから選択することは、以下の式、すなわち、
【数３】
0005266497.tif 000004
に基づく。
【００５９】
Ｃは、コードブックを表し、ｃ’は、ｃの共役転置行列を表す。前述の式は、コードブックＣにおける、プリコーディング・ベクトルｖｂ，ｂが配置されているプリコーディング行列の中のプリコーディング・ベクトルのいずれの列も走査されることを表す。｜Ｈａ，ｂｃ｜２が最大値に達するようにするベクトルｃの列が、ＢＳ２ｂからＭＳ１ａに至るダウンリンク信号に対応するプリコーディング・ベクトルｖａ，ｂである。
【００６０】
ＭＳ１ａが、ＢＳ２ｂからＭＳ１ａに至るダウンリンク信号に対応するプリコーディング・ベクトルｖａ，ｂを共有コードブックから選択した後、ステップＳ１１で、ＭＳ１ａが、選択されたプリコーディング・ベクトルｖａ，ｂのインデックスをＢＳ２ａに送信する。
【００６１】
もちろん、ＭＳ１ａは、プリコーディング・ベクトルｖａ，ｂをＢＳ２ａに直接に送信することもできる。
【００６２】
ステップＳ１２で、ＢＳ２ａが、ＭＳ１ａから、ＢＳ２ｂからＭＳ１ａに至るダウンリンク信号に対応するプリコーディング・ベクトルｖａ，ｂのインデックスを受信し、このインデックスをＢＳ２ｂに送信する。
【００６３】
一方、ＭＳ１ａが、ＢＳ２ｂからＭＳ１ａに至るダウンリンク信号に対応するプリコーディング・ベクトルｖａ，ｂを共有コードブックから選択し、ＭＳ１ｂも、ＢＳ２ａからＭＳ１ｂに至るダウンリンク信号に対応するプリコーディング・ベクトルｖｂ，ａを共有コードブックから選択する。
【００６４】
より具体的には、前述のステップＳ７で、ＢＳ２ａが、ＢＳ２ａからＭＳ１ａに至るダウンリンク信号に対応するプリコーディング・ベクトルｖａ，ａの受信されたインデックスをＢＳ２ｂに送信した後、ＢＳ２ｂが、ＭＳ１ａからの、ＢＳ２ａによって転送された、ＢＳ２ａからＭＳ１ａに至るダウンリンク信号に対応するプリコーディング・ベクトルｖａ，ａのインデックスを受信し、プリコーディング・ベクトルｖａ，ａのインデックスをＭＳ１ｂに送信する。
【００６５】
ＭＳ１ｂが、プリコーディング・ベクトルｖａ，ａのインデックスを受信した後、プリコーディング・ベクトルｖａ，ａのインデックス、およびＢＳ２ａからＭＳ１ｂに至るダウンリンク・チャネルの推定されたチャネル伝送行列Ｈｂ，ａに基づいて、ＭＳ１ｂは、ＢＳ２ａからＭＳ１ｂに至るダウンリンク信号に対応するプリコーディング・ベクトルｖｂ，ａを共有コードブックから選択する。
【００６６】
より具体的には、第１に、ＢＳ２ａからＭＳ１ａに至るダウンリンク信号に対応するプリコーディング・ベクトルｖａ，ａの受信されたインデックスにより、ＭＳ１ｂが、対応するプリコーディング・ベクトルｖａ，ａを共有コードブックから探索する。次に、ＢＳ２ａからＭＳ１ａに至るダウンリンク信号に対応するプリコーディング・ベクトルｖａ，ａ、およびＢＳ２ａからＭＳ１ｂに至るダウンリンク・チャネルの推定されたチャネル伝送行列Ｈｂ，ａにより、ＭＳ１ａが、ＢＳ２ａからＭＳ１ｂに至るダウンリンク信号に対応するプリコーディング・ベクトルｖｂ，ａをコードブックから選択する。
【００６７】
共有コードブックからの、ＢＳ２ａからＭＳ１ｂに至るダウンリンク信号に対応する選択されたプリコーディング・ベクトルｖｂ，ａは、ＢＳ２ａからＭＳ１ａに至るダウンリンク信号に対応する選択されたプリコーディング・ベクトルｖａ，ａと直交していなければならない。
【００６８】
共有コードブックの中の各プリコーディング行列の中の各列は、互いに直交しているので、好ましくは、ＢＳ２ａからＭＳ１ｂに至るダウンリンク・チャネルの推定されたチャネル伝送行列Ｈｂ，ａにより、ＭＳ１ｂが、ＢＳ２ａからＭＳ１ｂに至るダウンリンク信号に対応するプリコーディング・ベクトルｖｂ，ａを、ＢＳ２ａからＭＳ１ａに至るダウンリンク信号に対応するプリコーディング・ベクトルｖａ，ａが配置されているプリコーディング行列から選択する。
【００６９】
さらに、ＭＳ１ｂによる、プリコーディング・ベクトルｖｂ，ａを共有コードブックから選択することは、以下の式、すなわち、
【数４】
0005266497.tif 000005
に基づく。
【００７０】
Ｃは、コードブックを表し、ｃ’は、ｃの共役転置行列を表す。前述の式は、コードブックＣにおける、プリコーディング・ベクトルｖａ，ａが配置されているプリコーディング行列の中のプリコーディング・ベクトルのいずれの列も走査されることを表す。｜Ｈｂ，ａｃ｜２が最大値に達するようにするベクトルｃの列が、ＢＳ２ａからＭＳ１ｂに至るダウンリンク信号に対応するプリコーディング・ベクトルｖｂ，ａである。
【００７１】
ＭＳ１ｂが、ＢＳ２ａからＭＳ１ｂに至るダウンリンク信号に対応するプリコーディング・ベクトルｖｂ，ａを共有コードブックから選択した後、ＭＳ１ｂは、選択されたプリコーディング・ベクトルｖｂ，ａのインデックスをＢＳ２ｂに送信する。
【００７２】
もちろん、ＭＳ１ｂは、プリコーディング・ベクトルｖｂ，ａをＢＳ２ｂに直接に送信することもできる。
【００７３】
ＢＳ２ｂが、ＭＳ１ｂから、ＢＳ２ａからＭＳ１ｂに至るダウンリンク信号に対応するプリコーディング・ベクトルｖｂ，ａのインデックスを受信した後、ＢＳ２ｂは、このインデックスをＢＳ２ａに送信する。
【００７４】
ステップＳ１３で、ＢＳ２ａが、ＭＳ１ｂからの、ＢＳ２ｂによって転送された、ＢＳ２ａからＭＳ１ｂに至るダウンリンク信号に対応するプリコーディング・ベクトルｖｂ，ａのインデックスを受信する。
【００７５】
次に、ステップＳ１４で、ＢＳ２ａからＭＳ１ｂに至るダウンリンク信号に対応するプリコーディング・ベクトルｖｂ，ａの受信されたインデックス、およびＢＳ２ａからＭＳ１ａに至るダウンリンク信号に対応するプリコーディング・ベクトルｖａ，ａのインデックスに基づいて、ＢＳ２ａが、ＭＳ１ａに送信されるダウンリンク信号、およびＭＳ１ｂに送信されるダウンリンク信号をそれぞれプリコードする。
【００７６】
より具体的には、第１に、ＢＳ２ａからＭＳ１ａに至るダウンリンク信号に対応するプリコーディング・ベクトルｖａ，ａの受信されたインデックスにより、ＢＳ２ａが、対応するプリコーディング・ベクトルｖａ，ａを共有コードブックから探索し、さらにＢＳ２ａからＭＳ１ｂに至るダウンリンク信号に対応するプリコーディング・ベクトルｖｂ，ａの受信されたインデックスにより、ＢＳ２ａが、対応するプリコーディング・ベクトルｖｂ，ａを共有コードブックから探索する。
【００７７】
次に、探索されたプリコーディング・ベクトルｖａ，ａにより、ＢＳ２ａが、ＢＳ２ａによってＭＳ１ａに送信されるダウンリンク信号をプリコードし、さらに探索されたプリコーディング・ベクトルｖｂ，ａにより、ＢＳ２ａが、ＢＳ２ａによってＭＳ１ｂに送信されるダウンリンク信号をプリコードする。
【００７８】
最後に、ＢＳ２ａが、プリコードされたダウンリンク信号をＭＳ１ａおよびＭＳ１ｂにそれぞれ送信する。
【００７９】
同様に、ＢＳ２ｂが、ＭＳ１ａからの、ＢＳ２ａによって転送された、ＢＳ２ｂからＭＳ１ａに至るダウンリンク信号に対応するプリコーディング・ベクトルｖａ，ｂのインデックスを受信した後、ＢＳ２ａからＭＳ１ｂに至るダウンリンク信号に対応するプリコーディング・ベクトルｖｂ，ａの受信されたインデックス、およびＢＳ２ｂからＭＳ１ｂに至るダウンリンク信号に対応するプリコーディング・ベクトルｖｂ，ｂのインデックスに基づいて、ＢＳ２ｂが、ＭＳ１ｂに送信されるダウンリンク信号、およびＭＳ１ａに送信されるダウンリンク信号をそれぞれプリコードする。
【００８０】
より具体的には、第１に、ＢＳ２ｂからＭＳ１ｂに至るダウンリンク信号に対応するプリコーディング・ベクトルｖｂ，ｂの受信されたインデックスにより、ＢＳ２ｂが、対応するプリコーディング・ベクトルｖｂ，ｂを共有コードブックから探索し、さらにＢＳ２ｂからＭＳ１ａに至るダウンリンク信号に対応するプリコーディング・ベクトルｖａ，ｂの受信されたインデックスにより、ＢＳ２ｂが、対応するプリコーディング・ベクトルｖａ，ｂを共有コードブックから探索する。
【００８１】
次に、探索されたプリコーディング・ベクトルｖｂ，ｂにより、ＢＳ２ｂが、ＢＳ２ｂによってＭＳ１ｂに送信されるダウンリンク信号をプリコードし、さらに探索されたプリコーディング・ベクトルｖａ，ｂにより、ＢＳ２ｂが、ＢＳ２ｂによってＭＳ１ａに送信されるダウンリンク信号をプリコードする。
【００８２】
最後に、ＢＳ２ｂが、プリコードされたダウンリンク信号をＭＳ１ｂおよびＭＳ１ａにそれぞれ送信する。
【００８３】
本発明の技術的ソリューションを方法の点で以上に説明した。以下において、本発明の技術的ソリューションを装置モジュールの点で説明する。
【００８４】
図３は、本発明の詳細な実施形態による同一チャネル干渉を制御するためのＣｏ−ＭＩＭＯに基づく無線通信システムのＢＳにおける制御装置のブロック図を示す。図３の制御装置２０は、第１の送信手段２０１と、第１の受信手段２０２と、第２の送信手段２０３と、第３の受信手段２０４と、第３の送信手段２０５と、第６の受信手段２０６と、第７の送信手段２０７と、第２の受信手段２０８と、第１のプリコーディング手段２０９とを含む。
【００８５】
図４は、本発明の詳細な実施形態による同一チャネル干渉を制御するためのＣｏ−ＭＩＭＯに基づく無線通信システムのＭＳにおける支援制御装置のブロック図を示す。図４の支援制御装置１０は、第４の受信手段１０１と、推定手段１０２と、第１の選択手段１０３と、第４の送信手段１０４と、第５の受信手段１０５と、第２の選択手段１０６と、第５の送信手段１０７とを含む。
【００８６】
以降、図３および図４を参照し、図１に関連して、本発明の技術的ソリューションを詳細に説明する。また、前述した図１に関する説明も、この場合、参考にする。
【００８７】
第１に、ＢＳ２ａにおける制御装置２０内の第１の送信手段２０１が、ダウンリンク基準信号をＭＳ１ａおよびＭＳ１ｂに送信する。ダウンリンク基準信号は、公開パイロット信号、つまり、訓練系列であることが可能である。
【００８８】
第２に、ＭＳ１ａにおける支援制御装置１０内の第４の受信手段１０１が、ＢＳ２ａからダウンリンク基準信号を受信し、ＭＳ１ｂにおける支援制御装置１０内の第４の受信手段１０１が、ＢＳ２ａからダウンリンク基準信号を受信する。
【００８９】
次に、ＭＳ１ａにおける支援制御装置１０内の推定手段１０２が、ＢＳ２ａから受信されたダウンリンク基準信号により、ＢＳ２ａからＭＳ１ａに至るダウンリンク・チャネルのチャネル伝送行列Ｈａ，ａを推定し、ＭＳ１ｂにおける支援制御装置１０内の推定手段１０２が、ＢＳ２ａから受信されたダウンリンク基準信号により、ＢＳ２ａからＭＳ１ｂに至るダウンリンク・チャネルのチャネル伝送行列Ｈｂ，ａを推定する。
【００９０】
ＭＳ１ａにおける支援制御装置１０内の推定手段１０２が、ＢＳ２ａからＭＳ１ａに至るダウンリンク・チャネルのチャネル伝送行列Ｈａ，ａを推定した後、推定されたチャネル伝送行列Ｈａ，ａにより、ＭＳ１ａにおける支援制御装置１０内の第１の選択手段１０３が、ＢＳ２ａからＭＳ１ａに至るダウンリンク信号に対応するプリコーディング・ベクトルｖａ，ａを共有コードブックから選択する。
【００９１】
さらに、ＭＳ１ａにおける支援制御装置１０内の選択手段１０３による、プリコーディング・ベクトルｖａ，ａを共有コードブックから選択することは、以下の式、すなわち、
【数５】
0005266497.tif 000006
に基づく。
【００９２】
Ｃは、コードブックを表し、前述の式は、コードブックＣにおけるベクトルｃのいずれの列も走査されることを表す。｜Ｈｂ，ｂｃ｜２が最大値に達するようにするベクトルｃの列が、ＢＳ２ａからＭＳ１ａに至るダウンリンク信号に対応するプリコーディング・ベクトルｖａ，ａである。
【００９３】
この説明では、技術的ソリューションは、ＢＳ２ａがＭＳ１ａに１つのデータ・ストリームを送信する実施例を使用することによって説明されるので、ＭＳ１ａは、共有コードブックから、前述の式を満たすベクトルの或る列を、データ・ストリームに関するプリコーディング・ベクトルとして選択するだけでよいことに留意されたい。しかし、ＢＳ２ａがＭＳ１ａに複数のデータ・ストリームを送信する場合、ＭＳ１ａは、共有コードブックから、前述の式を満たすベクトルの複数の列を、その複数のデータ・ストリームに関するプリコーディング・ベクトルとして選択しなければならないことが当業者には認識されよう。
【００９４】
さらに、共有コードブックは、ＭＳ１ａ、ＭＳ１ｂ、ＢＳ２ａ、およびＢＳ２ｂの間で共有される。さらに、コードブックは、当業者に理解可能であり、本明細書で詳細に説明されることはない、ＤＦＴコードブック、３ＧＰＰ  ＬＴＥコードブック、ＩＥＥＥ８０２．１６ｅコードブック、または他のタイプのコードブックであることが可能である。
【００９５】
通常、このコードブックは、複数のプリコーディング行列から成り、各行列は、ベクトルの複数の列から成る。好ましくは、同一のプリコーディング行列の中のプリコーディング・ベクトルの各列は、互いに直交である。
【００９６】
さらに、プリコーディング行列の行の数は、ＢＳ送信アンテナの数と等しい。プリコーディング行列の列の数は、ＢＳによって送信され得る最大データ・ストリーム数と等しい。この実施形態において、ＢＳ２ａおよびＢＳ２ｂはそれぞれ、４つの送信アンテナを含み、さらにＢＳによって送信され得る最大データ・ストリーム数は、４であると想定されるので、共有コードブックの中のプリコーディング行列は、４×４行列である。
【００９７】
ＭＳ１ａにおける支援制御装置１０内の第１の選択手段１０３が、ＢＳ２ａからＭＳ１ａに至るダウンリンク信号に対応するプリコーディング・ベクトルｖａ，ａを共有コードブックから選択した後、ＭＳ１ａにおける支援制御装置１０内の第４の送信手段１０４が、ＢＳ２ａからＭＳ１ａに至るダウンリンク信号に対応するプリコーディング情報をＢＳ２ａに送信する。
【００９８】
ＭＳ１ａにおける支援制御装置１０内の第４の送信手段１０４は、ＢＳ２ａからＭＳ１ａに至るダウンリンク信号に対応するプリコーディング・ベクトルｖａ，ａをＢＳ２ａに直接に送信することができることに留意されたい。好ましくは、ＭＳ１ａにおける支援制御装置１０内の第４の送信手段１０４は、ＢＳ２ａからＭＳ１ａに至るダウンリンク信号に対応するプリコーディング・ベクトルｖａ，ａのインデックスをＢＳ２ａに送信することができる。
【００９９】
さらに、第４の送信手段１０４内の決定手段が、最初に、ＢＳ２ａからＭＳ１ａに至るダウンリンク信号に対応するプリコーディング・ベクトルｖａ，ａにより、プリコーディング・ベクトルｖａ，ａのインデックスを決定する。次に、第４の送信手段１０４内の第６の送信手段が、ＢＳ２ａからＭＳ１ａに至るダウンリンク信号に対応するプリコーディング・ベクトルｖａ，ａの決定されたインデックスをＢＳ２ａに送信する。
【０１００】
以下において、ＭＳ１ａにおける支援制御装置１０内の第４の送信手段１０４が、ＢＳ２ａからＭＳ１ａに至るダウンリンク信号に対応するプリコーディング・ベクトルｖａ，ａのインデックスをＢＳ２ａに送信する実施例を説明する。
【０１０１】
次に、ＢＳ２ａにおける制御装置２０内の第１の受信手段２０２が、ＭＳ１ａから、ＢＳ２ａからＭＳ１ａに至るダウンリンク信号に対応するプリコーディング・ベクトルｖａ，ａのインデックスを受信する。その後、ＢＳ２ａにおける制御装置２０内の第２の送信手段２０３が、ＢＳ２ａからＭＳ１ａに至るダウンリンク信号に対応するプリコーディング・ベクトルｖａ，ａの受信されたインデックスをＢＳ２ｂに送信する。
【０１０２】
以上は、ＢＳ２ａの点で説明したが、ＢＳ２ｂも、ＭＳ１ｂおよびＭＳ１ａと対話する一方で、ＢＳ２ａが、ＭＳ１ａおよびＭＳ１ｂと対話することが当業者には理解可能である。
【０１０３】
より具体的には、第１に、ＢＳ２ｂにおける制御装置２０内の第１の送信手段２０１が、ＭＳ１ｂおよびＭＳ１ａにダウンリンク基準信号を送信する。ダウンリンク基準信号は、公開パイロット信号、つまり、訓練系列であることが可能である。
【０１０４】
第２に、ＭＳ１ｂにおける支援制御装置１０内の第４の受信手段１０１が、ＢＳ２ｂからダウンリンク基準信号を受信し、ＭＳ１ａにおける支援制御装置１０内の第４の受信手段１０１が、ＢＳ２ｂからダウンリンク基準信号を受信する。
【０１０５】
次に、ＭＳ１ｂにおける支援制御装置１０内の推定手段１０２が、ＢＳ２ｂから受信されたダウンリンク基準信号により、ＢＳ２ｂからＭＳ１ｂに至るダウンリンク・チャネルのチャネル伝送行列Ｈｂ，ｂを推定し、ＭＳ１ａにおける支援制御装置１０内の推定手段１０２が、ＢＳ２ｂから受信されたダウンリンク基準信号により、ＢＳ２ｂからＭＳ１ａに至るダウンリンク・チャネルのチャネル伝送行列Ｈａ，ｂを推定する。
【０１０６】
次に、推定されたチャネル伝送行列Ｈｂ，ｂにより、ＭＳ１ｂにおける支援制御装置１０内の第１の選択手段１０３が、ＢＳ２ｂからＭＳ１ｂに至るダウンリンク信号に対応するプリコーディング・ベクトルｖｂ，ｂを共有コードブックから選択する。
【０１０７】
さらに、ＭＳ１ｂにおける支援制御装置１０内の第１の選択手段１０３による、プリコーディング・ベクトルｖｂ，ｂを共有コードブックから選択することは、以下の式、すなわち、
【数６】
0005266497.tif 000007
に基づく。
【０１０８】
Ｃは、コードブックを表し、前述の式は、コードブックＣにおけるベクトルｃのいずれの列も走査されることを表す。｜Ｈｂ，ｂｃ｜２が最大値に達するようにするベクトルｃの列が、ＢＳ２ｂからＭＳ１ｂに至るダウンリンク信号に対応するプリコーディング・ベクトルｖｂ，ｂである。
【０１０９】
次に、ＭＳ１ｂにおける支援制御装置内の第４の送信手段１０４が、ＢＳ２ｂからＭＳ１ｂに至るダウンリンク信号に対応するプリコーディング情報をＢＳ２ｂに送信する。
【０１１０】
ＭＳ１ｂにおける支援制御装置内の第４の送信手段１０４は、ＢＳ２ｂからＭＳ１ｂに至るダウンリンク信号に対応するプリコーディング・ベクトルｖｂ，ｂをＢＳ２ｂに直接に送信することができることに留意されたい。好ましくは、ＭＳ１ｂにおける支援制御装置１０内の第４の送信手段１０４が、ＢＳ２ｂからＭＳ１ｂに至るダウンリンク信号に対応するプリコーディング・ベクトルｖｂ，ｂのインデックスをＢＳ２ｂに送信することができる。
【０１１１】
さらに、第４の送信手段１０４内の決定手段が、最初に、ＢＳ２ｂからＭＳ１ｂに至るダウンリンク信号に対応するプリコーディング・ベクトルｖｂ，ｂにより、プリコーディング・ベクトルｖｂ，ｂのインデックスを決定する。次に、第４の送信手段１０４内の第６の送信手段が、ＢＳ２ｂからＭＳ１ｂに至るダウンリンク信号に対応するプリコーディング・ベクトルｖｂ，ｂの決定されたインデックスをＢＳ２ｂに送信する。
【０１１２】
以下に、ＭＳ１ｂにおける支援装置手段１０内の第４の送信手段１０４が、ＢＳ２ｂからＭＳ１ｂに至るダウンリンク信号に対応するプリコーディング・ベクトルｖｂ，ｂのインデックスをＢＳ２ｂに送信する実施例を説明する。
【０１１３】
ＢＳ２ｂにおける制御装置２０内の第１の受信手段２０２が、ＭＳ１ｂから、ＢＳ２ｂからＭＳ１ｂに至るダウンリンク信号に対応するプリコーディング・ベクトルｖｂ，ｂのインデックスを受信した後、ＢＳ２ｂにおける制御装置２０内の第２の送信手段２０３が、プリコーディング・ベクトルｖｂ，ｂのインデックスをＢＳ２ａに送信する。
【０１１４】
ＢＳ２ａにおける制御装置２０内の第３の受信手段２０４が、ＢＳ２ｂによってＭＳ１ｂから転送された、ＢＳ２ｂからＭＳ１ｂに至るダウンリンク信号に対応するプリコーディング・ベクトルｖｂ，ｂのインデックスを受信する。次に、ＢＳ２ａにおける制御装置２０内の第３の送信手段２０５が、プリコーディング・ベクトルｖｂ，ｂの受信されたインデックスをＭＳ１ａに送信する。
【０１１５】
次に、ＭＳ１ａにおける支援制御装置１０内の第５の受信手段１０５が、ＢＳ２ａによって転送された、ＢＳ２ｂからＭＳ１ｂに至るダウンリンク信号に対応するプリコーディング・ベクトルｖｂ，ｂのインデックスを受信し、その後、ＢＳ２ｂからＭＳ１ｂに至るダウンリンク信号に対応するプリコーディング・ベクトルｖｂ，ｂの受信されたインデックス、およびＢＳ２ｂからＭＳ１ａに至るダウンリンク・チャネルの推定されたチャネル伝送行列Ｈａ，ｂに基づいて、ＭＳ１ａにおける支援制御装置１０内の第２の選択手段１０６が、ＢＳ２ｂからＭＳ１ａに至るダウンリンク信号に対応するプリコーディング・ベクトルｖａ，ｂを共有コードブックから選択する。
【０１１６】
より具体的には、第１に、ＢＳ２ｂからＭＳ１ｂに至るダウンリンク信号に対応するプリコーディング・ベクトルｖｂ，ｂの受信されたインデックスにより、ＭＳ１ａにおける第２の選択手段１０６内の第２の探索手段が、対応するプリコーディング・ベクトルｖｂ，ｂを共有コードブックから探索する。次に、ＢＳ２ｂからＭＳ１ｂに至るダウンリンク信号に対応するプリコーディング・ベクトルｖｂ，ｂ、およびＢＳ２ｂからＭＳ１ａに至るダウンリンク・チャネルの推定されたチャネル伝送行列Ｈａ，ｂにより、第２の選択手段１０６内の第３の選択手段が、ＢＳ２ｂからＭＳ１ａに至るダウンリンク信号に対応するプリコーディング・ベクトルｖａ，ｂをコードブックから選択する。
【０１１７】
共有コードブックからの、ＢＳ２ｂからＭＳ１ａに至るダウンリンク信号に対応する選択されたプリコーディング・ベクトルｖａ，ｂは、ＢＳ２ｂからＭＳ１ｂに至るダウンリンク信号に対応する選択されたプリコーディング・ベクトルｖｂ，ｂと直交していなければならない。
【０１１８】
共有コードブックの中の各プリコーディング行列の中のプリコーディング・ベクトルの各列は、互いに直交しているので、好ましくは、ＢＳ２ｂからＭＳ１ａに至るダウンリンク・チャネルの推定されたチャネル伝送行列Ｈａ，ｂにより、ＭＳ１ａにおける支援制御手段１０内の第２の選択手段１０６が、ＢＳ２ｂからＭＳ１ａに至るダウンリンク信号に対応するプリコーディング・ベクトルｖａ，ｂを、ＢＳ２ｂからＭＳ１ｂに至るダウンリンク信号に対応するプリコーディング・ベクトルｖｂ，ｂが配置されているプリコーディング行列から選択する。
【０１１９】
さらに、ＭＳ１ａにおける支援制御装置１０内の第２の選択手段１０６による、プリコーディング・ベクトルｖａ，ｂを共有コードブックから選択することは、以下の式、すなわち、
【数７】
0005266497.tif 000008
に基づく。
【０１２０】
Ｃは、コードブックを表し、ｃ’は、ｃの共役転置行列を表す。前述の式は、コードブックＣにおける、プリコーディング・ベクトルｖｂ，ｂが配置されているプリコーディング行列の中のプリコーディング・ベクトルのいずれの列も走査されることを表す。｜Ｈａ，ｂｃ｜２が最大値に達するようにするベクトルｃの列が、ＢＳ２ｂからＭＳ１ａに至るダウンリンク信号に対応するプリコーディング・ベクトルｖａ，ｂである。
【０１２１】
ＭＳ１ａにおける支援制御装置１０内の第２の選択手段１０６が、ＢＳ２ｂからＭＳ１ａに至るダウンリンク信号に対応するプリコーディング・ベクトルｖａ，ｂを共有コードブックから選択した後、ＭＳ１ａにおける支援制御装置１０内の第５の送信手段１０７が、選択されたプリコーディング・ベクトルｖａ，ｂのインデックスをＢＳ２ａに送信する。
【０１２２】
もちろん、ＭＳ１ａにおける支援制御装置１０内の第５の送信手段１０７は、プリコーディング・ベクトルｖａ，ｂをＢＳ２ａに直接に送信することもできる。
【０１２３】
ＢＳ２ａにおける制御装置２０内の第６の受信手段が、ＭＳ１ａから、ＢＳ２ｂからＭＳ１ａに至るダウンリンク信号に対応するプリコーディング・ベクトルｖａ，ｂのインデックスを受信し、さらにＢＳ２ａにおける制御装置２０内の第７の送信手段２０７が、このインデックスをＢＳ２ｂに送信する。
【０１２４】
一方、ＭＳ１ａが、ＢＳ２ｂからＭＳ１ａに至るダウンリンク信号に対応するプリコーディング・ベクトルｖａ，ｂを共有コードブックから選択し、ＭＳ１ｂも、ＢＳ２ａからＭＳ１ｂに至るダウンリンク信号に対応するプリコーディング・ベクトルｖｂ，ａを共有コードブックから選択する。
【０１２５】
より具体的には、ＢＳ２ａにおける制御装置２０内の第２の送信手段２０３が、ＢＳ２ａからＭＳ１ａに至るダウンリンク信号に対応するプリコーディングｖａ，ａの受信されたインデックスをＢＳ２ｂに送信した後、ＢＳ２ｂにおける制御装置２０内の第３の受信手段２０４が、ＭＳ１ａからの、ＢＳ２ａによって転送された、ＢＳ２ａからＭＳ１ａに至るダウンリンク信号に対応するプリコーディング・ベクトルｖａ，ａのインデックスを受信し、さらに制御装置２０内の第３の送信手段２０５が、プリコーディング・ベクトルｖａ，ａのインデックスをＭＳ１ｂに送信する。
【０１２６】
ＭＳ１ｂにおける支援制御装置１０内の第５の受信手段１０５が、プリコーディング・ベクトルｖａ，ａのインデックスを受信した後、プリコーディング・ベクトルｖａ，ａのインデックス、およびＢＳ２ａからＭＳ１ｂに至るダウンリンク・チャネルの推定されたチャネル伝送行列Ｈｂ，ａに基づいて、ＭＳ１ｂにおける支援制御装置１０内の第２の選択手段１０６が、ＢＳ２ａからＭＳ１ｂに至るダウンリンク信号に対応するプリコーディング・ベクトルｖｂ，ａを共有コードブックから選択する。
【０１２７】
より具体的には、第１に、ＢＳ２ａからＭＳ１ａに至るダウンリンク信号に対応するプリコーディング・ベクトルｖａ，ａの受信されたインデックスにより、ＭＳ１ｂにおける第２の選択手段１０６内の第２の探索手段が、対応するプリコーディング・ベクトルｖａ，ａを共有コードブックから探索する。次に、ＢＳ２ａからＭＳ１ａに至るダウンリンク信号に対応するプリコーディング・ベクトルｖａ，ａ、およびＢＳ２ａからＭＳ１ｂに至るダウンリンク・チャネルの推定されたチャネル伝送行列Ｈｂ，ａにより、第２の選択手段１０６内の第３の選択手段が、ＢＳ２ａからＭＳ１ｂに至るダウンリンク信号に対応するプリコーディング・ベクトルｖｂ，ａをコードブックから選択する。
【０１２８】
共有コードブックからの、ＢＳ２ａからＭＳ１ｂに至るダウンリンク信号に対応する選択されたプリコーディング・ベクトルｖｂ，ａは、ＢＳ２ａからＭＳ１ａに至るダウンリンク信号に対応する選択されたプリコーディング・ベクトルｖａ，ａと直交していなければならない。
【０１２９】
共有コードブックの中の各プリコーディング行列の中のプリコーディング・ベクトルの各列は、互いに直交しているので、好ましくは、ＢＳ２ａからＭＳ１ｂに至るダウンリンク・チャネルの推定されたチャネル伝送行列Ｈｂ，ａにより、ＭＳ１ｂにおける支援制御装置１０内の第２の選択手段１０６が、ＢＳ２ａからＭＳ１ｂに至るダウンリンク信号に対応するプリコーディング・ベクトルｖｂ，ａを、ＢＳ２ａからＭＳ１ａに至るダウンリンク信号に対応するプリコーディング・ベクトルｖａ，ａが配置されているプリコーディング行列から選択する。
【０１３０】
さらに、ＭＳ１ｂにおける支援制御装置１０内の第２の手段１０６による、プリコーディング・ベクトルｖｂ，ａを共有コードブックから選択することは、以下の式、すなわち、
【数８】
0005266497.tif 000009
に基づく。
【０１３１】
Ｃは、コードブックを表し、ｃ’は、ｃの共役転置行列を表す。前述の式は、コードブックＣにおける、プリコーディング・ベクトルｖａ，ａが配置されているプリコーディング行列の中のプリコーディング・ベクトルのいずれの列も走査されることを表す。｜Ｈｂ，ａｃ｜２が最大値に達するようにするベクトルｃの列が、ＢＳ２ａからＭＳ１ｂに至るダウンリンク信号に対応するプリコーディング・ベクトルｖｂ，ａである。
【０１３２】
ＭＳ１ｂにおける支援制御装置１０内の第２の選択手段１０６が、ＢＳ２ａからＭＳ１ｂに至るダウンリンク信号に対応するプリコーディング・ベクトルｖｂ，ａを共有コードブックから選択した後、ＭＳ１ｂにおける支援制御装置１０内の第５の送信手段１０７が、選択されたプリコーディング・ベクトルｖｂ，ａのインデックスをＢＳ２ｂに送信する。
【０１３３】
もちろん、ＭＳ１ｂにおける支援制御装置１０内の第５の送信手段１０７は、プリコーディング・ベクトルｖｂ，ａをＢＳ２ｂに直接に送信することもできる。
【０１３４】
ＢＳ２ｂにおける制御装置２０内の第６の受信手段２０６が、ＭＳ１ｂから、ＢＳ２ａからＭＳ１ｂに至るダウンリンク信号に対応するプリコーディング・ベクトルｖｂ，ａのインデックスを受信した後、ＢＳ２ｂにおける制御装置２０内の第７の送信手段２０７が、このインデックスをＢＳ２ａに送信する。
【０１３５】
ＢＳ２ａにおける制御装置２０内の第２の受信手段２０８が、ＭＳ１ｂからの、ＢＳ２ｂによって転送された、ＢＳ２ａからＭＳ１ｂに至るダウンリンク信号に対応するプリコーディング・ベクトルｖｂ，ａのインデックスを受信する。
【０１３６】
次に、ＢＳ２ａからＭＳ１ｂに至るダウンリンク信号に対応するプリコーディング・ベクトルｖｂ，ａの受信されたインデックス、およびＢＳ２ａからＭＳ１ａに至るダウンリンク信号に対応するプリコーディング・ベクトルｖａ，ａのインデックスに基づいて、ＢＳ２ａにおける制御装置２０内の第１のプリコーディング手段２０９が、ＭＳ１ａに送信されるダウンリンク信号、およびＭＳ１ｂに送信されるダウンリンク信号をそれぞれプリコードする。
【０１３７】
より具体的には、第１に、ＢＳ２ａからＭＳ１ａに至るダウンリンク信号に対応するプリコーディング・ベクトルｖａ，ａの受信されたインデックスにより、ＢＳ２ａにおける第１のプリコーディング手段２０９内の第１の探索手段が、対応するプリコーディング・ベクトルｖａ，ａを共有コードブックから探索し、さらにＢＳ２ａからＭＳ１ｂに至るダウンリンク信号に対応するプリコーディング・ベクトルｖｂ，ａの受信されたインデックスにより、ＢＳ２ａが、対応するプリコーディング・ベクトルｖｂ，ａを共有コードブックから探索する。
【０１３８】
次に、探索されたプリコーディング・ベクトルｖａ，ａにより、ＢＳ２ａにおける第１のプリコーディング手段２０９内の第２のプリコーディング手段が、ＢＳ２ａによってＭＳ１ａに送信されるダウンリンク信号をプリコードし、さらに探索されたプリコーディング・ベクトルｖｂ，ａにより、ＢＳ２ａにおける第１のプリコーディング手段２０９内の第２のプリコーディング手段が、ＢＳ２ａによってＭＳ１ｂに送信されるダウンリンク信号をプリコードする。
【０１３９】
最後に、ＢＳ２ａが、プリコードされたダウンリンク信号をＭＳ１ａおよびＭＳ１ｂにそれぞれ送信する。
【０１４０】
同様に、ＢＳ２ｂにおける制御装置２０内の第２の受信手段２０８が、ＭＳ１ａからの、ＢＳ２ａによって転送された、ＢＳ２ｂからＭＳ１ａに至るダウンリンク信号に対応するプリコーディング・ベクトルｖａ，ｂのインデックスを受信した後、ＢＳ２ａからＭＳ１ｂに至るダウンリンク信号に対応するプリコーディング・ベクトルｖｂ，ａの受信されたインデックス、およびＢＳ２ｂからＭＳ１ｂに至るダウンリンク信号に対応するプリコーディング・ベクトルｖｂ，ｂのインデックスに基づいて、ＢＳ２ｂにおける制御装置２０内の第１のプリコーディング手段２０９が、ＭＳ１ｂに送信されるダウンリンク信号、およびＭＳ１ａに送信されるダウンリンク信号をそれぞれプリコードする。
【０１４１】
より具体的には、第１に、ＢＳ２ｂからＭＳ１ｂに至るダウンリンク信号に対応するプリコーディング・ベクトルｖｂ，ｂの受信されたインデックスにより、ＢＳ２ｂにおけるプリコーディング手段２０９内の第１の探索手段が、対応するプリコーディング・ベクトルｖｂ，ｂを共有コードブックから探索し、さらにＢＳ２ｂからＭＳ１ａに至るダウンリンク信号に対応するプリコーディング・ベクトルｖａ，ｂの受信されたインデックスにより、ＢＳ２ｂが、対応するプリコーディング・ベクトルｖａ，ｂを共有コードブックから探索する。
【０１４２】
次に、探索されたプリコーディング・ベクトルｖｂ，ｂにより、ＢＳ２ｂにおける第１のプリコーディング手段２０９内の第２のプリコーディング手段が、ＢＳ２ｂによってＭＳ１ｂに送信されるダウンリンク信号をプリコードし、さらに探索されたプリコーディング・ベクトルｖａ，ｂにより、ＢＳ２ｂにおける第１のプリコーディング手段２０９内の第２のプリコーディング手段が、ＢＳ２ｂによってＭＳ１ａに送信されるダウンリンク信号をプリコードする。
【０１４３】
最後に、ＢＳ２ｂが、プリコードされたダウンリンク信号をＭＳ１ｂおよびＭＳ１ａにそれぞれ送信する。
【０１４４】
本発明の具体的な実施形態を以上に説明してきた。本発明は、前述した特定の実施形態に限定されないことが理解可能である。当業者は、特許請求の範囲の保護範囲内で様々な変更または変形を実行することができる。
【図１】
0005266497.tif 000010
【図２】
0005266497.tif 000011
【図３】
0005266497.tif 000012
【図４】
0005266497.tif 000013